(57)【要約】【課題】オーガーを備えた除雪部の前部に設けられた排雪板を、排雪板作業状態と排雪板非作業状態との切換えが容易に可能である除雪機を提供する。【解決手段】除雪部５の前方部に配置可能な除雪用排雪板６を有していて、該排雪板６は、前記除雪部５前方に位置させた排雪板作業状態と、前記オーガーハウジング５０の上方部に位置させた排雪板非作業状態とに切換えが可能で、前記排雪板６は、前記排雪板６に備えられた回動アーム６０により回動される構造であって、前記回動アーム６０には、前記排雪板６を上方側へ向かう回動方向に付勢するように回動アーム用弾性体６６とを備えた除雪機１。さらに、前記除雪機１は前記排雪板６の排雪板非作業状態の姿勢を固定できる固定手段７３を備えている。【選択図】      図２
2019094659.tif 000002
【特許請求の範囲】
【請求項１】
前方に向かって開口するオーガーハウジングを設け、オーガーハウジング内の回転するオーガーによって中央部に集雪した雪を、その後方で回転駆動されるブロワーで投雪する除雪部を機体前部に設けた除雪機において、
該除雪部の前方部に配置可能な除雪用排雪板を有していて、
該排雪板は、前記除雪部前方に位置させた排雪板作業状態と、前記オーガーハウジングの上方部に位置させた排雪板非作業状態とに切換えが可能で、
前記切換えは、前記排雪板から左右それぞれ延設され、前記オーガーハウジングの左右側板外側部に上下回動自在に取付けられた回動アームにより回動され切換えられる構造であって、
前記回動アームには、前記排雪板を上方側へ向かう回動方向に付勢するように回動アーム用弾性体と、
を備えたことを特徴とした除雪機。
【請求項２】
前記排雪板非作業状態の前記排雪板の姿勢は、該姿勢を保持できる固定手段と、
前記固定手段には、前記排雪板非作業状態の前記排雪板を保持する方向に付勢する固定手段用弾性体と、を備えていて、
前記固定手段を解除する操作をした時にのみ、前記排雪板の前記排雪板非作業状態を解除する、
ことを特徴とした請求項１に記載の除雪機。
【請求項３】
前記排雪板の前記排雪板非作業状態の姿勢は、前記排雪板を前記排雪板作業状態から前記排雪板非作業状態へ回動させるのみで、前記固定手段によって保持できる、
ことを特徴とした請求項２記載の除雪機。
【請求項４】
前記排雪板には、前記排雪板を回動させる操作をするための取手部と、
前記固定手段には、前記固定手段を操作するためのレバーと、を設けていて、
前記排雪板非作業状態の前記排雪板の前記取手部と前記レバーは、片手で操作できるように近接させて配置されている、
ことを特徴とした請求項３に記載の除雪機。
【発明の詳細な説明】
【技術分野】
【０００１】
本発明は、機体の前部に雪の掻き込みオーガーや掻き込んだ雪をブロワーによって投雪する除雪部を設け、除雪部のさらに前方に排雪板を配置可能にした除雪機に関するものである。
【背景技術】
【０００２】
従来、雪の掻き込みオーガーを設けブロワーによって投雪する除雪部を設けた除雪機は公知である。また、除雪部の前方にさらに排雪板を配置できる除雪機も公知となっている。例えば、特開２０１５−１８７３４０号公報の「除雪機」が公知である。この除雪機は、投雪場所等が十分に確保できる場所での作業には除雪部のブロワーによって投雪し除雪作業を効率よく行うことが可能であり、投雪場所等が十分確保できない場合や積雪量が少ない場合には排雪板により雪を押し出す作業に切換えると効率よく除雪作業が行えるという利点がある。
【先行技術文献】
【特許文献】
【０００３】
【特許文献１】特開２０１５−１８７３４０号公報
【発明の概要】
【発明が解決しようとする課題】
【０００４】
前述したように、ブロワーによって投雪する除雪方法と、排雪板によって雪を押し出す除雪方法とを切換えることよって効率よい作業が可能であるが、商品バリエーションによって、オーガーの除雪機の進行方向と直交した方向の作業幅が広くなると、排雪板の幅も広がることになり、必然的に排雪板の重量が増加する。特許文献１の除雪機において、排雪板での作業状態と非作業状態とに切換える際に、重量が増加した排雪板を持ち上げることは、作業者へ大きな負担を強いる問題があった。また、非作業状態で排雪板の姿勢を保持する際に、排雪板に設けられた回動アームのストッパーピンを、ストッパーブラケットの係合孔に嵌合させ抜け止めピンを差し込む構造上、重量物である排雪板を一方の片手で保持しながら、他方の片手でストッパーピンを差し込まざるを得ず、作業者が排雪板の保持を誤ると、排雪板が回動し落下する危険が伴う。
このため本発明は、排雪板の作業状態と非作業状態との切換え時の操作負担を軽減させるとともに、排雪板の非作業状態での姿勢保持操作及び姿勢解除操作を簡便にして、作業者が容易に排雪板を切換えることが可能で、効率良い除雪作業が行える除雪機を提供することを目的とする。
【課題を解決するための手段】
【０００５】
上記課題を解決するために、請求項１記載の除雪機は、前方に向かって開口するオーガーハウジングを設け、オーガーハウジング内の回転するオーガーによって中央部に集雪した雪を、その後方で回転駆動されるブロワーで投雪する除雪部を機体前部に設けた除雪機において、該除雪部の前方部に配置可能な除雪用排雪板を有していて、該排雪板は、前記除雪部前方に位置させた排雪板作業状態と、前記オーガーハウジングの上方部に位置させた排雪板非作業状態とに切換えが可能で、前記切換えは、前記排雪板から左右それぞれ延設され、前記オーガーハウジングの左右側板外側部に上下回動自在に取付けられた回動アームにより回動され切換えられる構造であって、前記回動アームには、前記排雪板を上方側へ向かう回動方向に付勢するように回動アーム用弾性体と、を備えたことを特徴とした除雪機である。
【０００６】
また、上記課題を解決するために、請求項２記載の除雪機は、前記排雪板非作業状態の前記排雪板の姿勢は、該姿勢を保持できる固定手段と、前記固定手段には、前記排雪板非作業状態の前記排雪板を保持する方向に付勢する固定手段用弾性体と、を備えていて、前記固定手段を解除する操作をした時にのみ、前記排雪板の前記排雪板非作業状態を解除する、ことを特徴とした請求項１に記載の除雪機である。
【０００７】
また、上記課題を解決するために、請求項３記載の除雪機は、前記排雪板の前記排雪板非作業状態の姿勢は、前記排雪板を前記排雪板作業状態から前記排雪板非作業状態へ回動させるのみで、前記固定手段によって保持できる、ことを特徴とした請求項２記載の除雪機である。
【０００８】
また、上記課題を解決するために、請求項４記載の除雪機は、前記排雪板には、前記排雪板を回動させる操作をするための取手部と、前記固定手段には、前記固定手段を操作するためのレバーを設けていて、前記排雪板非作業状態の前記排雪板の前記取手部と前記レバーは、片手で操作できるように近接させて配置されている、ことを特徴とした請求項３に記載の除雪機である。
【発明の効果】
【０００９】
本発明によると、排雪板の作業状態と非作業状態との切換え時の操作負担を軽減させる。さらに、排雪板の非作業状態での姿勢保持操作及び姿勢解除操作を簡便にして、作業者が容易に排雪板を切換えることが可能で、効率良い除雪作業が行える除雪機を提供できる。
【図面の簡単な説明】
【００１０】
【図１】本発明の第１実施形態例を示す除雪機の排雪板非作業状態時の左側面図である。
【図２】本発明の第１実施形態例を示す除雪機の排雪板作業状態時の左側面図である。
【図３】本発明の第１実施形態例を示す除雪機の排雪板非作業状態時の進行方向前方から見た作業時の正面図である。
【図４】本発明の第１実施形態例を示す除雪機の排雪板作業状態時の排雪板を断面して拡大した側面図である。
【図５】本発明の第１実施形態例を示す除雪機の排雪板非作業状態時の排雪板を図１に示すＡ−Ａで断面して進行方向左側の排雪板部を拡大した正面図である。
【図６】本発明の第１実施形態例を示す除雪機の排雪板非作業状態時の要部を一部断面して拡大した左側面図である。
【図７】本発明の第２実施形態例を示す除雪機の排雪板作業状態時の要部を拡大した左側面図である。
【図８】本発明の第３実施形態例を示す除雪機の排雪板作業状態時の要部を拡大した左側面図である。
【発明を実施するための形態】
【００１１】
本発明の実施例の第１実施形態を、図１乃至図６に基づいて説明する。
除雪機１は、走行用として機体左右に走行クローラベルト４を設け、これを駆動して前後に走行する。機体前方部に除雪部５を設け、機体後方に機体を操作する操作部３を設け、機体中央部に走行部や除雪部５の動力源であるエンジンを収納したエンジン部２を設けている。
【００１２】
前記操作部３には、作業者が握って操作するハンドル３０が左右に設けられ、その中央部に機体の各部を作動させるための各操作レバーやスイッチ類が設けられていて、作業者はこれらを操作して除雪作業を行う。
【００１３】
機体前方部に設けた前記除雪部５は、進行方向と直交する水平回転軸に設けたオーガー５１によって中央部に雪を掻き集め、中央部後方に設けたブロワーで上方に向けたシューター５２より雪を投雪する。投雪する方向は前記シューター５２を水平回動させて方向を変更できる。また、投雪角度は前記シューター５２上端部のデフレクター５２０の角度を変更することで可能となっている。前記オーガー５１は前方部が開口したオーガーハウジング５０により覆われていて、前記オーガー５１の雪の掻き込みを誘導するとともに、巻き込まれ防止等の安全のため設けられている。
【００１４】
前記除雪部５前方には、前記除雪機１を前進させることにより雪を押し出す排雪板６が配設可能である。前記排雪板６は、前記除雪部５前方に位置した図２に示す排雪板作業状態と、前記オーガーハウジング５０の上方部に位置する図１に示す排雪板非作業状態とに切換えが可能である。前記切換えは、前記排雪板６から左右それぞれ延設され、前記オーガーハウジング５０の左右端部のオーガーハウジング側板５００外側部に上下回動自在に取付けられた回動アーム６０により回動され切換えられる構造となっている。前記排雪板６が前記オーガーハウジング５０の上方部に位置する排雪板非作業状態では、前記除雪部５を駆動し、雪を投雪する除雪作業が可能である。
【００１５】
投雪による除雪作業は、投雪場所等が十分に確保できる場所では効率的である。しかし、投雪場所等が十分確保できない場合や積雪量が少ない場合には、前記排雪板６により雪を押し出しての除雪作業に切換えると効率よく除雪作業が行える。前記排雪板６による除雪作業のときは、前記除雪部５の駆動を停止し、前記排雪板６を前記除雪部５の前方に位置するように回動させてから行う。
【００１６】
前記排雪板６は、雪を押すためのブレード６１と、該ブレード６１下方端部に設けられたスクレ−パー６２と、前記ブレード６１の両側の側方端部に設けたブレード側板６３と、前記排雪板６の上下回動を操作するために作業者が握る取手部６４と、前記排雪板６を前記除雪部５に上下回動自在に連結している回動アーム６０と、前記回動アーム６０を前記オーガーハウジング５０に保持するためのサポートアーム６５と、前記排雪板６を回動方向の上方側に付勢するための回動アーム用弾性体６６と、を備えている。
【００１７】
前記ブレード６１は、排雪板作業状態において雪を押すために、前方に開口部を向け、側方断面が後方に向け膨らんだ弓形の略円弧状をしている。前記ブレード６１の幅は、前記オーガーハウジング５０の外端の幅と同等、又は、これより幅が広く設けられる。
前記ブレード６１の下方端部にはブレード６１の略全幅にわたってスクレーパー６２が取付けられている。前記スクレーパー６２は、前記ブレード６１と進行方向と直交する向きの幅を略同じにした略矩形状の板部材である。
前記排雪板６が排雪板作業状態のとき、前記スクレーパー６２は、雪を前記ブレード６１に誘導し掻き込む効果がある。前記スクレーパー６２は、前端部から後方に向け鋭角に傾斜していて前記ブレード６１を雪面に押し付けて食い込ませ、前進することにより雪を前記ブレード６１の前面の凹部面に沿って誘導して上昇させ、前方に湾曲した上方部から前方に順次落とし込んで集めていく。
前記ブレード側板６３は、前記ブレード６１の両側の側方端部に設けられ、前記ブレード６１の側方から雪が漏れないように構成される。
【００１８】
前記取手部６４は、コの字状に折り曲げられた棒状部材で、折り曲げ部を上方及び後方に向けられ、端部を排雪板作業状態の前記ブレード６１の上部で、進行方向右側の図３に示す左側に固着されている。さらに図４に示す側方の断面視で前記取手部６４は、くの字状に略中央部から上方に向けて折り曲げられている。作業者は前記取手部６４を把持し、前記排雪板６を上下回動させることができ、前記排雪板６を排雪板作業状態と排雪板非作業状態に切換えが可能になる。
【００１９】
前記回動アーム６０は、前記ブレード６１後面部から前記オーガーハウジング５０の左右側方のオーガーハウジング側板５００外側部にそれぞれ延設され、前記サポートアーム６５を介して前記オーガーハウジング側板５００外側部に回動自在に取付けられる。図４は、前記ブレード６１が前記除雪部５の前方に位置する排雪板作業状態の排雪板６の断面を示した図である。本例における回動アーム６０は、板金製で側面視上方に角部を有する略不等辺三角形状となっていて、前方角部に前記ブレード６１の後面部が固着されている。
前記回動アーム６０の前方から上方に伸びた上辺と後方側の辺の一部は内方にＬ字状に折り曲げられて剛性を持たせている。前記回動アーム６０の内方にＬ字状に折り曲げられた上辺側は上部折り曲げ部６０２を形成し、後方側は後部折り曲げ部６０３を形成している。
【００２０】
前記回動アーム６０の下方辺部は、板の端面が下方を向いた切りっぱなし状態である。前記回動アーム６０の下方辺部は、前記排雪板６が排雪板非作業状態のとき、上方に回動されて進行方向の前方を向いた状態となり、前記オーガーハウジング側板５００の前方端縁より前方に位置する。
【００２１】
排雪板作業状態の前記回動アーム６０の略中央部で、前記上部折り曲げ部６０２の下方近傍には、前記回動アーム６０の内側方向に向け、面と垂直に丸棒状のピン６０４が固着される。該ピン６０４は、排雪板非作業状態のとき、前記排雪板６の姿勢を保持し固定するため使用されるものである。前記ピン６０４の使用方法については後述する。
【００２２】
前記回動アーム６０の回動支点は、前記回動アーム６０の側面視略不等辺三角形状の上方角部近傍で内側に向けて設けられ、進行方向と直交する水平方向の回動軸である回動アーム回動支点６０１によって上下に回動自在に保持される。前記回動アーム支点６０１は、軸の中心部に貫通穴を設け、さらに外側の端部はザグリ孔を設けたピン状部材である。  前記回動アーム回動支点６０１は、前記オーガーハウジング５０の左右側方の前記オーガーハウジング側板５００外側部に配置されたサポートアーム６５に回動自在に支持されている。
【００２３】
前記サポートアーム６５は、前記オーガーハウジング側板５００への取付部分である取付座６５１と、前記回動アーム回動支点６０１を回動自在に支持するためのボス６５２と、前記回動アーム６０の回動を規制する下部ストッパー６５５と、後述する回動アーム用弾性体６６を係止するための係止部６５６と、を備えている。
【００２４】
前記取付座６５１は、前記オーガーハウジング側板５００及び前記オーガーハウジング側板５００の内側に位置する前記ベアリング保持部５１１と共締めするためのボルト取付孔を複数有した略円形状の板である。さらに前記取付座６５１の略中心部には、前記オーガー５１の回転軸の抜け防止のためのボルトを逃がすための孔が開けられている。前記略中央部に設けられた孔の後方で上方側には、前記回動アーム回動支点６０１を保持するためのボス６５２が設けられる。
【００２５】
前記ボス６５２は、前記取付座６５１の外側の面に設けられ、前記取付座６５１の面に対して軸を垂直に設けて固着された筒状の部材である。前記ボス６５２は、前記オーガー５１の回転軸中心５１２より後方で上方にオフセットした位置に設けられている。前記ボス６５２の内径部に前記回動アーム回動支点６０１が挿入されることで、前記回動アーム６０は前記サポートアーム６５に対し回動自在に連結されている。
さらに、前記取付座６５１のオーガーハウジング側板５００側から外側に向かって、前記ボス６５２の軸と同心にボルト６５３が差し込まれている。前記ボルト６０３の頭部は、前記取付座６５１の内側の面に設けたザグリ孔に沈み込むように固着され、前記ボルト６５３の頭部の端面は前記取付座６５１の内側の面と略同一に設けられている。
【００２６】
前記ボルト６５３は、前記回動アーム回動支点６０１の軸部に設けられた貫通孔を通り、前記回動アーム回動支点６０１の外側からナット６５４が螺入されている。本実施例においては、前記ナット６５４はプリベリングトルク形ナットであり、完全に締め付けなくても緩むことが無いため、完全な締め付けはされていない。完全な締め付けがされていない前記ナット６５４によって前記回動アーム６０は、回動を妨げられることが無いと同時に、前記回動アーム回動支点６０１の水平方向への移動が規制される。前記取付座６５１の上方部には下部ストッパー６５５が位置している。
【００２７】
前記下部ストッパー６５５は、前記取付座６５２の外側方向の上方部で、前記取付座６５２の面と垂直に設けられた板状の部材である。本実施例において、前記下部ストッパー６５５の上面は、水平面に対して後方が起き上がるように１５度乃至３５度の角度が付くように傾斜が付けられている。
前記下部ストッパー６５５は、前記ブレード６１が前記除雪部５の前方に位置する排雪板作業状態のとき、前記回動アーム６０の前記上部折り曲げ部６０２が当接して下方への回動を規制する効果がある。排雪板作業状態のとき、前記下部ストッパー６５５によって下方への回動が規制された前記回動アーム６０を有する前記排雪板６は、下方への食い込み量を一定にすることができる。
前記下部ストッパー６５５の下面部には、係止部６５６が設けられている。
【００２８】
前記係止部６５６は、後述する回動アーム用弾性体６６の端部を係止するための板状部材で、前記取付座６５２の外側で前記下部ストッパー６５５の下面と垂直に設けられている。前記ボス６５２には、前記係止部６５６に端部を引っかけるようにして配置された回動アーム用弾性体６６が設けられている。
【００２９】
前記回動アーム用弾性体６６は、前記回動アーム６０の上方側への回動を補助するため、前記オーガーハウジング５０の左右外側に配置されたそれぞれの前記回動アーム６０に設けられる。本実施例において、回動アーム用弾性体６６は、ねじりコイルバネである。
前記回動アーム用弾性体６６の円形に設けられたコイル部は、前記回動アーム６０の回動支点である前記ボス６５２に挿入されている。前記回動アーム用弾性体６６の両端部に設けられた腕部は、前記回動アーム用弾性体６６のコイル部を接線として前記コイル部の端部から上方で外側方向に２方向に分かれるように設けられ、図４に示す側面視でV字状に設けられている。
【００３０】
前記回動アーム用弾性体６６の腕部の一端は、前記後部折り曲げ部６０３の内側の面まで延設されると共に係止されている。前記回動アーム用弾性体６６の腕部の他端は、前記係止部６５６の後方側の面まで延設されると共に係止されている。前述の様に前記回動アーム用弾性体６６を設けることで、前記排雪板６は上方側へ回動する向きに付勢され、前記回動アーム６０の上方側への回動するための作業者の操作力が軽減される。
【００３１】
前記排雪板６を排雪板非作業時にする場合、前記回動アーム用弾性体６６によって操作力が軽減された排雪板６は、作業者が前記取手部６４を握り前記オーガーハウジング５０の上方まで容易に回動させることが可能となる。上方まで回動させた前記排雪板６は、前記オーガーハウジング５０の上方部に設けた固定部７によって、下方に回動できないように係止される。
【００３２】
前記固定部７は、ベース７１と、支点シャフト７２１と、固定手段７３と、固定手段用弾性体７５と、を備えていて、上方まで回動させた前記排雪板６を固定する機構である。また、前記固定部７の固定を解除する操作をすることで、前記排雪板６の固定を解除し、前記排雪板６を排雪板作業状態に切換え可能な状態にすることができる。
【００３３】
前記ベース７１は、前記支点シャフト７２１を支持する部品で、ベース板７１１と、上部係止部７１２と、上部ストッパー７１３と、ボス７１４とを備えている。
前記ベース板７１１は、略凸形状に切り出された板状部材で、板面を前記オーガーハウジング５０の左右に設けられた前記オーガーハウジング側板５００のそれぞれの上方部で外側の面に取り付けられている。前記ベース板７１１に設けられた凸状部は、上方及び後方に向けて設けられている。
さらに、前記凸状部の上方端縁部の後方側の一部は、外側に向けて折り曲げられていて、後述する固定手段用弾性体７５を係止するための上部係止部７１２を形成している。
【００３４】
前記ベース板７１１の前方には、前記上部ストッパー７１３が設けられる。前記上部ストッパー７１３は、板状の部材でV字状に折り曲げられていて、折り曲げた角部を下方に向けて配置され、板面を前記ベース板７１１と垂直にして固着されている。前記上部ストッパー７１３の折り曲げられた板の外側で前方側の面は、排雪板非作業状態のとき、前記回動アーム６０の前記上部折り曲げ部６０２に当接して、前記回動アーム６０の後方への回動を規制する効果がある。前記上部ストッパー７１３の折り曲げられた板の外側で後方側の面は、後述する固定手段７３の端縁が当接し、前記固定手段７３の前方側及び上方側への回動を規制する役割がある。
【００３５】
前記ベース板７１１の、前記上部係止部７１２と前記上部ストッパー７１３の間には、軸を前記ベース板７１１の板面と直交して設けられたボス７１４が固着されている。該ボス７１４は、前記オーガーハウジング側板５００の上部側方に位置している。前記ボス７１４の両端部は、前記ベース板７１１の板面より突出するように設けられている。
前記オーガーハウジング５０の左右それぞれに設けられた前記ボス７１４の内径には、前記オーガーハウジングを架け渡すように進行方向と直交して前記支点シャフト７２１が挿入される。前記支点シャフト７２１の両端部は、前記ボス７１４の外側の端部より突出して設けられる。
【００３６】
前記支点シャフト７２１の進行方向右側で図３に示す左側には、レバー７２２が設けられる。該レバー７２２は、棒部材をコの字状に折り曲げた形状で、２箇所の折り曲げ部を後方に向け、両端部を前記支点シャフト７２１に固着されている。前記レバー７２２の中央部は、作業者が把持して前記支点シャフト７２１を回動することが可能になる。また、前記レバー７２２は、排雪板非作業状態の前記取手部６４と共に、作業者が片手で把持することが可能に、互いに近接させて設けられている。
【００３７】
前記支点シャフト７２１の両側の先端部には、排雪板非作業状態の前記排雪板６を固定するためのボス部を有した固定手段７３が配置される。前記固定手段７３のボス部は前記シャフト７２１の先端部に固着されている。
前記固定手段７３は、板状で上下方向に細長い部材で、上方端側には板面と直交して設けたボス部を有し、下端側の前方側の端縁部にはＵ字状のフック部を形成している。前記固定手段７３のフック部は、前記支点シャフト７２１を軸として回動自在である。
また、前記支点シャフト７２１の左右両側の先端部に設けられた前記固定手段７３は、両方とも同じ角度に固着されていて、前記支点シャフト７２１の回動と連動して同じ方向に回動することが可能である。
前方側に向けられた前記固定手段７３のフック状部は、前記回動アーム６０の内側に固着された前記ピン６０４に係合することで、排雪板非作業状態の排雪板６の姿勢を固定することができる。
【００３８】
さらに、前記固定手段７３の回動半径方向外側の先端部端縁は、先細るように傾斜部が形成されている。本実施例において、前記固定手段７３の傾斜部の挟み角は、１５度乃至３５度に設けられている。前記固定手段７３の傾斜部は、排雪板作業状態から排雪板非作業状態に切換えるために前記排雪板６を回動した時に、前記回動アーム６０に設けられた前記ピン６０４を、前記固定手段７３の傾斜部に沿わせながらスムーズに前記固定手段７３のフック部に誘導する効果がある。
前記固定手段７３の前方側で上方の端縁は、前記上部ストッパー７１３の後方側の面と当接することで、上方側への回動が規制されている。
また、排雪板非作業状態のとき、前記固定手段７３と前記上部折り曲げ部６０２が干渉しないように、前記上部折り曲げ部６０２の端縁部の一部には、凹状の切欠きを設けている。
【００３９】
前記固定手段７３と、前記前記ベース７１の間には固定手段用弾性体７５が配置される。本実施例において前記固定手段用弾性体７５は、両端部の腕部をＶ字状に設けたねじりコイルバネである。前記固定手段用弾性体７５は、コイル部を支点シャフト７２１に挿入されて、一端側の腕部は前記上部係止部７１２に係止され、他端側の腕部は先端部をさらに外側方向に折り曲げられて記固定手段７３の後方側に係止される。
【００４０】
記固定手段７３は、前記固定手段用弾性体７５によって前記固定手段７３のフック部が、常時前方側及び上方側に回動するように付勢される。付勢された前記固定手段７３の前方側の板の端縁部は、前記上部ストッパー７１３の折り曲げられた後方側の面に当接することで、前記固定手段７３の前方及び上方への回動が規制されている。
【００４１】
排雪板非作業状態の排雪板６は、前記固定手段７３によって前記ピン６０４と係合することで固定された状態になり、前記固定手段用弾性体７５によって固定状態を維持できる。また、排雪板作業状態から排雪板非作業状態に回動した前記排雪板６は、前記固定手段７３の先端側の傾斜部に沿って前記ピン６０４を前記固定手段７３のフック部に誘導して、前記固定手段用弾性体７５によって自動的に係合することができる。
【００４２】
前記除雪機１の排雪板非作業状態を排雪板作業状態に切換える場合は、前記取手部６４と共に前記レバー７２２を握って、前記支点シャフト７２１を回動させる。前記支点シャフト７２１の回動と共に前記固定手段７３が回動し、前記ピン６０４に係合した前記固定手段７３のフック部が外れる。前記ピン６０４との係合を解除された前記排雪板６は、排雪板作業状態にするため前方方向に回動な状態にする。
【００４３】
作業者は、前記取手部６４と共に把持した前記レバー７２２から手を放した後、継続して前記取手部６４を把持し続けることで、自由に前記排雪板６の回動が可能になり、前記排雪板６は排雪板作業状態に切換えることができる。回動操作中の前記排雪板６は、回動支点部に備えられた前記回動アーム用弾性体６６によって、上方側に付勢されているため、作業者は前記排雪板６の自重の全部を支える必要が無く、容易に排雪板作業状態に切換えることができる。
【００４４】
排雪板作業状態の前記排雪板６は、前記上部折り曲げ部６０２が前記下部ストッパー６５５に当接することで、前記排雪板６の下方側への回動を規制されている。また、前記回動アーム用弾性体６６によって前記排雪板６を上方側に回動を補助する力より、前記排雪板６の自重によって下方側に回動する力が大きいため、前記排雪板６は排雪板作業状態の姿勢を維持できる。
【００４５】
前記排雪板６を排雪板作業状態から排雪板非作業状態に切換える場合は、前記取手部６４を把持し前記排雪板６を上方へ回動させると、前記上部ストッパー７１３に当接した前記固定手段７３は、前記回動アーム６０に設けられた前記ピン６０４が前記固定手段７３の先端側の傾斜部に当接し、そのまま前記固定手段７３を後方側へ回動させる。
排雪板非作業状態まで回動した前記排雪板６の前記上部折り曲げ部６０２が、前記上部ストッパー７１３に当接することで、前記排雪板６の後方側への回動を規制される。
【００４６】
前記ピン６０４によって後方側へ回動していた前記固定手段７３は、再び前方側へ回動する。前記回動固定手段７３のフック部は、前記回動アーム６０に設けられたピン６０４に引っかかるように係合することで、排雪板非作業状態の前記排雪板６は姿勢を維持できる。すなわち、作業者は前記排雪板６を上方側及び後方側に回動させるのみで、容易に排雪板非作業状態の姿勢を保持できる。
【００４７】
また、前記回動アーム用弾性体６６によって、前記排雪板６は上方側へ回動する方向に付勢されているため、作業者は前記排雪板６の自重を全部支える必要が無く、容易に排雪板非作業状態への切換えが可能になる。
【００４８】
本例の除雪機１によって除雪作業を行うには、比較的積雪量の多い場合は除雪部５を駆動して雪を投雪して除雪を行う。この場合、前記排雪板６は、前記オーガーハウジング５０上方に回動され、前記回動アーム６０の前記ピン６０４を前記固定手段７３のフック部に係合させて排雪板非作業状態の姿勢を保持されている。
【００４９】
比較的積雪量が少ない場合や投雪場所が無い場合等のときは除雪部５を駆動せずに、前記排雪板６によって雪Ｓを押し出して除雪を行う。前記排雪板６を使用するときは、前記ブレード６１に取り付けられた取手部６４と、前記支点シャフト７２１のレバー７２２を把持し、固定手段７３と前記回動アーム６０のピン６０４の係合を解除し、前記排雪板６を自在に回動できる状態にする。回動自在状態の前記排雪板６を、前記オーガーハウジング５０の上方から下方に回動させて、除雪部５前方部に位置させた排雪板作業状態にする。排雪板作業状態の前記排雪板６の上部折り曲げ部６０２は、前記下部ストッパー６５５と当接することにより、前記排雪板作業状態の姿勢を保持している。
走行部を駆動して前進させると、排雪板６のスクレーパー６２によって掻き出された雪がブレード６１に沿ってせり上がり、上方部から前方に落とされブレード６１部前方に順次雪が盛り上げられ除雪を行うことができる。
前記排雪板６を使用した除雪作業が終了したら、前記ブレード６１に取り付けられた取手部６４を把持し前記排雪板６を上方に回動させて、排雪板非作業状態での姿勢を保持させる。
【００５０】
次に、本発明の別実施例として第２の形態を図７に基いて説明する。第２の形態の実施例では、前記除雪部６の上方へ回動する方向に付勢する回動アーム用弾性体６６ａは、引張バネを使用している。前記第１の形態とは差異点のみを説明する。
前記回動アーム用弾性体６６ａの螺旋状に巻かれたコイル部の両端部はフック部が形成されている。前記回動アーム用弾性体６６ａの一端側のフック部は、前記回動アーム６０の前記上部折り曲げ部６０２の上面で前記回動アーム回動支点６０１より前方で、棒状部材をＵ字状に曲げて形成し両端を前記上部折り曲げ部６０２に固着した下部取付部６７ａに取り付けられている。前記回動アーム用弾性体６６ａの他端側のフック部は、前記ベース７１の後方で外側に向けて固着されたピン状部材の上部取付部７８ａに取り付けられている。
上述のように前記回動アーム用弾性体６６ａを配置させたので、前記回動アーム用弾性体６６ａが縮む方向へ引張力が発生し、前記除雪部６は上方へ回動する方向に補助され、作業者の操作力が軽減される。
【００５１】
次に、本発明の別実施例として第３の形態を図８に基いて説明する。第３の形態の実施例では、前記除雪部６の上方へ回動する方向に付勢する回動アーム用弾性体６６ｂは、機体及び流体を筒部内に内包し、筒部よりロッドが出入りすることで伸び側方向に反発力を発生させる弾性体を使用している。前記第１の形態とは差異点のみを説明する。
前記回動アーム用弾性体６６ｂの筒部先端部及びロッド部先端部は取付孔が設けられている。前記回動アーム用弾性体６６ｂのロッド部側の取付孔は、前記回動アーム６０の後方部をさらに後方側に延設させ、ピン部材を外側に向けて固着させた下部取付部６７ａに取り付けられている。前記回動アーム用弾性体６６ｂの筒部側の取付孔は、前記ベース７１の後方で外側に向けて固着されたピン状部材の上部取付部７８ａに取り付けられている。
上述のように前記回動アーム用弾性体６６ｂを配置させることで、前記回動アーム用弾性体６６ｂは伸び側に反発力を発生させ、前記除雪部６は上方へ回動する方向に補助され、作業者の操作力が軽減される。本実施例において、回動アーム用弾性体６６ｂは、機体及び流体を筒部内に内包し筒部よりロッドが出入りすることで反発力を発生させる弾性体を用いたが、圧縮バネを用いても同様の効果を発揮できる。
【産業上の利用可能性】
【００５２】
本発明は、クローラベルトやタイヤ等による走行部を有し、機体の前部に雪の掻き込みオーガーや掻き込んだ雪をブロワーによって投雪する除雪部を設け、除雪部のさらに前方に排雪板を配置可能にした除雪機に適用できる。
【符号の説明】
【００５３】
１      除雪機
２      エンジン部
３      操作部
４      走行クローラベルト
５      除雪部
５０    オーガーハウジング
５００  オーガーハウジング側板
６      排雪板
６０    回動アーム
６０１  回動アーム回動支点
６０２  上部折り曲げ部
６０３  後部折り曲げ部
６０４  ピン
６１    ブレード
６２    スクレーパー
６３    ブレード側板
６４    取手部
６５    サポートアーム
６５５  下部ストッパー
６５６  係止部
６６    回動アーム用弾性体
７      固定部
７１    ベース
７１２  上部係止部
７１３  上部ストッパー
７２１  支点シャフト
７２２  レバー
７３    固定手段
７５    固定手段用弾性体
Ｓ      雪
【図１】
2019094659.tif 000003
【図２】
2019094659.tif 000004
【図３】
2019094659.tif 000005
【図４】
2019094659.tif 000006
【図５】
2019094659.tif 000007
【図６】
2019094659.tif 000008
【図７】
2019094659.tif 000009
【図８】
2019094659.tif 000010